(57)【特許請求の範囲】
【請求項１】
血液等の流体を流動させ得る被しごき用可撓性チューブが取り付けられる取付凹部を具備したステータと、
前記取付凹部内で回転駆動可能とされたロータと、
該ロータに形成され、当該取付凹部に取り付けられた被しごき用可撓性チューブを径方向に圧縮しつつ当該ロータの回転に伴い長手方向にしごくことにより、当該被しごき用可撓性チューブ内で流体を流動させるためのローラと、
を具備したしごき型ポンプに脱着可能とされた装着部材であって、
前記ステータの所定部位に取り付け可能とされ、前記被しごき用可撓性チューブの上流側固定部及び下流側固定部の一方と一体的に形成された本体部と、
該本体部に形成され、前記被しごき用可撓性チューブの上流側固定部及び下流側固定部の他方を位置させ得る切欠き部と、
を具備し、前記本体部を前記しごき型ポンプのステータに取り付け、前記被しごき用可撓性チューブの上流側固定部及び下流側固定部の他方が前記切欠き部に位置した状態で、当該被しごき用可撓性チューブを前記ステータの取り付け位置まで移動可能とされたことを特徴とする装着部材。
【請求項２】
前記被しごき用可撓性チューブの上流側固定部近傍と下流側固定部近傍とを連結した連結部を有したことを特徴とする請求項１記載の装着部材。
【請求項３】
前記本体部は、前記ステータの外周面形状に倣って形成された枠状部材から成り、当該ステータの外周面に取り付け可能とされたことを特徴とする請求項１又は請求項２記載の装着部材。
【請求項４】
前記本体部及び被しごき用可撓性チューブは、使い捨て部品から成ることを特徴とする請求項１〜３の何れか１つに記載の装着部材。
【請求項５】
前記本体部に複数の前記被しごき用可撓性チューブが一体的に形成され、複数の前記しごき型ポンプのそれぞれに脱着可能とされたことを特徴とする請求項１〜４の何れか１つに記載の装着部材。
【請求項６】
請求項１〜５の何れか１つに記載の前記本体部が脱着可能なステータを具備したことを特徴とするしごき型ポンプ。
【請求項７】
前記ロータには、取付凹部の内周壁面側に突出したガイドピンが形成されるとともに、前記本体部を前記ステータの所定部位に取り付け、被しごき用可撓性チューブにおける上流側固定部及び下流側固定部の他方が切欠き部に位置した状態で当該ロータを回転駆動させることにより、前記被しごき用可撓性チューブを取り付け位置まで移動させ得ることを特徴とする請求項６記載のしごき型ポンプ。
【請求項８】
前記ステータに開閉自在に取り付けられ、閉じた状態で前記取付凹部を覆うカバーと、
該カバーに形成され、当該カバーが閉じた状態で前記被しごき用可撓性チューブにおける上流側固定部及び下流側固定部の他方を前記切欠き部まで押圧させ得る押圧凸部と、
を備えたことを特徴とする請求項６又は請求項７記載のしごき型ポンプ。
【請求項９】
前記被しごき用可撓性チューブを前記取付凹部から取り外される方向に押圧可能な押圧手段を具備したことを特徴とする請求項６〜８の何れか１つに記載のしごき型ポンプ。
【発明の詳細な説明】
【技術分野】
【０００１】
本発明は、しごき型ポンプに脱着可能な装着部材及びしごき型ポンプに関するものである。
【背景技術】
【０００２】
一般に、透析治療においては、患者の血液を体外循環させるべく可撓性チューブから成る血液回路が使用されている。この血液回路は、患者から血液を採取する動脈側穿刺針が先端に取り付けられた動脈側血液回路と、患者に血液を戻す静脈側穿刺針が先端に取り付けられた静脈側血液回路とから主に成り、これら動脈側血液回路と静脈側血液回路との間にダイアライザを介在させ、体外循環する血液の浄化を行っている。
【０００３】
動脈側血液回路の一部には、他より軟質且つ太径な被しごき用可撓性チューブが接続されており、かかる部位が、透析装置に配設されたしごき型血液ポンプに取り付けられるよう構成されている。このしごき型血液ポンプは、通常、被しごき用可撓性チューブを取付可能な取付凹部を有したステータと、取付凹部に取り付けられた被しごき用可撓性チューブを固く挟持し得る挟持手段と、当該取付凹部内で回転駆動可能とされたロータと、該ロータに形成されて被しごき用可撓性チューブを圧縮しつつしごくローラとから主に構成されている。
【０００４】
そして、しごき型血液ポンプに被しごき用可撓性チューブを取り付けるには、医療従事者等の作業者が手でロータを少しずつ回転させつつ被しごき用可撓性チューブを取付凹部の内周壁面に沿って取り回す必要があった。すなわち、取付凹部の内周壁面とローラとの間には、ロータの回転駆動時に可撓性チューブを圧縮してしごく必要性から僅かなクリアランスしかなく、かかるクリアランスに可撓性チューブを挿通させるためにロータを少しずつ手で回転させ、取付凹部全域に取り付けていたのである。なお、このような被しごき用可撓性チューブの取り付けは、血液ポンプに限らず、しごき型ポンプと称される全般において略共通である。
【０００５】
上記のしごき型ポンプにおいては、被しごき用可撓性チューブをステータの取付凹部に取り付ける作業が面倒であることから、本出願人は、被しごき用可撓性チューブをより容易且つ円滑に取り付けることができるしごき型ポンプを提案するに至った（例えば、特許文献１参照）。かかるしごき型ポンプは、取付凹部に取り付けられるべき上流側の被しごき用可撓性チューブを固定して長手方向の移動を規制するとともに、ロータの回転駆動力で下流側の当該被しごき用可撓性チューブの長手方向の移動を許容するよう構成されており、取付凹部に対する被しごき用可撓性チューブの取付作業性を向上することができるものとされていた。
【先行技術文献】
【特許文献】
【０００６】
【特許文献１】特開２００８−２３８８号公報
【発明の概要】
【発明が解決しようとする課題】
【０００７】
しかしながら、上記従来のしごき型ポンプにおいては、被しごき用可撓性チューブの上流側及び下流側をそれぞれ挟持するための挟持手段を具備していたため、当該挟持手段に被しごき用可撓性チューブを挟持させて固定する作業を手作業にて行う必要があり、取付作業性を十分に向上させることができないという問題があった。また、被しごき用可撓性チューブをステータから取り外す際、上流側及び下流側のそれぞれの挟持を解除する作業が必要とされるので、取り外し作業時の作業性も十分でないという問題があった。
【０００８】
本発明は、このような事情に鑑みてなされたもので、被しごき用可撓性チューブのステータに対する取付作業及び取り外し作業をより容易且つ円滑に行わせることができる装着部材及びしごき型ポンプを提供することにある。
【課題を解決するための手段】
【０００９】
請求項１記載の発明は、血液等の流体を流動させ得る被しごき用可撓性チューブが取り付けられる取付凹部を具備したステータと、前記取付凹部内で回転駆動可能とされたロータと、該ロータに形成され、当該取付凹部に取り付けられた被しごき用可撓性チューブを径方向に圧縮しつつ当該ロータの回転に伴い長手方向にしごくことにより、当該被しごき用可撓性チューブ内で流体を流動させるためのローラとを具備したしごき型ポンプに脱着可能とされた装着部材であって、前記ステータの所定部位に取り付け可能とされ、前記被しごき用可撓性チューブの上流側固定部及び下流側固定部の一方と一体的に形成された本体部と、該本体部に形成され、前記被しごき用可撓性チューブの上流側固定部及び下流側固定部の他方を位置させ得る切欠き部とを具備し、前記本体部を前記しごき型ポンプのステータに取り付け、前記被しごき用可撓性チューブの上流側固定部及び下流側固定部の他方が前記切欠き部に位置した状態で、当該被しごき用可撓性チューブを前記ステータの取り付け位置まで移動可能とされたことを特徴とする。
【００１０】
請求項２記載の発明は、請求項１記載の装着部材において、前記被しごき用可撓性チューブの上流側固定部近傍と下流側固定部近傍とを連結した連結部を有したことを特徴とする。
【００１１】
請求項３記載の発明は、請求項１又は請求項２記載の装着部材において、前記本体部は、前記ステータの外周面形状に倣って形成された枠状部材から成り、当該ステータの外周面に取り付け可能とされたことを特徴とする。
【００１２】
請求項４記載の発明は、請求項１〜３の何れか１つに記載の装着部材において、前記本体部及び被しごき用可撓性チューブは、使い捨て部品から成ることを特徴とする。
【００１３】
請求項５記載の発明は、請求項１〜４の何れか１つに記載の装着部材において、前記本体部に複数の前記被しごき用可撓性チューブが一体的に形成され、複数の前記しごき型ポンプのそれぞれに脱着可能とされたことを特徴とする。
【００１４】
請求項６記載の発明は、請求項１〜５の何れか１つに記載の前記本体部が脱着可能なステータを具備したことを特徴とするしごき型ポンプ。
【００１５】
請求項７記載の発明は、請求項６記載のしごき型ポンプにおいて、前記ロータには、取付凹部の内周壁面側に突出したガイドピンが形成されるとともに、前記本体部を前記ステータの所定部位に取り付け、被しごき用可撓性チューブにおける上流側固定部及び下流側固定部の他方が切欠き部に位置した状態で当該ロータを回転駆動させることにより、前記被しごき用可撓性チューブを取り付け位置まで移動させ得ることを特徴とする。
【００１６】
請求項８記載の発明は、請求項６又は請求項７記載のしごき型ポンプにおいて、前記ステータに開閉自在に取り付けられ、閉じた状態で前記取付凹部を覆うカバーと、該カバーに形成され、当該カバーが閉じた状態で前記被しごき用可撓性チューブにおける上流側固定部及び下流側固定部の他方を前記切欠き部まで押圧させ得る押圧凸部とを備えたことを特徴とする。
【００１７】
請求項９記載の発明は、請求項６〜８の何れか１つに記載のしごき型ポンプにおいて、前記被しごき用可撓性チューブを前記取付凹部から取り外される方向に押圧可能な押圧手段を具備したことを特徴とする。
【発明の効果】
【００１８】
請求項１の発明によれば、ステータの所定部位に取り付け可能とされ、被しごき用可撓性チューブの上流側固定部及び下流側固定部の一方と一体的に形成された本体部と、該本体部に形成され、前記被しごき用可撓性チューブの上流側固定部及び下流側固定部の他方を位置させ得る切欠き部とを具備し、本体部をしごき型ポンプのステータに取り付け、被しごき用可撓性チューブの上流側固定部及び下流側固定部の他方が切欠き部に位置した状態で、当該被しごき用可撓性チューブをステータの取り付け位置まで移動可能とされたので、被しごき用可撓性チューブのステータに対する取付作業及び取り外し作業をより容易且つ円滑に行わせることができる。
【００１９】
請求項２の発明によれば、被しごき用可撓性チューブの上流側固定部近傍と下流側固定部近傍とを連結した連結部を有したので、被しごき用可撓性チューブを円弧状に屈曲させた状態とすることができ、本体部をステータ６に取り付けた状態において、被しごき用可撓性チューブを取付凹部に沿って配置させることができる。
【００２０】
請求項３の発明によれば、本体部は、ステータの外周面形状に倣って形成された枠状部材から成り、当該ステータの外周面に取り付け可能とされたので、しごき型ポンプに対する装着部材の取り付け作業及び取り外し作業をより容易且つ確実に行わせることができる。
【００２１】
請求項４の発明によれば、本体部及び被しごき用可撓性チューブは、使い捨て部品から成るので、治療終了後、本体部及び被しごき用可撓性チューブを一括して廃棄することができる。
【００２２】
請求項５の発明によれば、本体部に複数の被しごき用可撓性チューブが一体的に形成され、複数のしごき型ポンプのそれぞれに脱着可能とされたので、複数のしごき型ポンプに対して一括して被しごき用可撓性チューブを取り付け又は取り外しすることができ、取り付け時及び取り外し時の作業性を向上させることができる。
【００２３】
請求項６の発明によれば、本体部が脱着可能なステータを具備したしごき型ポンプであるので、被しごき用可撓性チューブを固定するための手段が不要とされるとともに、被しごき用可撓性チューブのステータに対する取付作業及び取り外し作業をより容易且つ円滑に行わせることができる。
【００２４】
請求項７の発明によれば、ロータには、取付凹部の内周壁面側に突出したガイドピンが形成されるとともに、本体部をステータの所定部位に取り付け、被しごき用可撓性チューブにおける上流側固定部及び下流側固定部の他方が切欠き部に位置した状態で当該ロータを回転駆動させることにより、被しごき用可撓性チューブを取り付け位置まで移動させ得るので、取付凹部に対する被しごき用可撓性チューブの取り付けをより容易に行わせることができる。
【００２５】
請求項８の発明によれば、ステータに開閉自在に取り付けられ、閉じた状態で取付凹部を覆うカバーと、カバーに形成され、当該カバーが閉じた状態で被しごき用可撓性チューブにおける上流側固定部及び下流側固定部の他方を切欠き部まで押圧させ得る押圧凸部とを備えたので、カバーを閉じることにより、被しごき用可撓性チューブの上流側固定部及び下流側固定部の他方を確実且つ円滑に切欠き部に位置させることができる。
【００２６】
請求項９の発明によれば、被しごき用可撓性チューブを取付凹部から取り外される方向に押圧可能な押圧手段を具備したので、被しごき用可撓性チューブのステータに対する取り外し作業をより容易且つ円滑に行わせることができる。
【図面の簡単な説明】
【００２７】
【図１】本発明の実施形態に係るしごき型ポンプが適用される血液浄化装置を示す模式図
【図２】同しごき型ポンプに適用される被しごき用可撓性チューブを示す模式図
【図３】同しごき型ポンプを示す斜視図
【図４】同しごき型ポンプを示す平面図
【図５】同しごき型ポンプを示す正面図
【図６】同しごき型ポンプを示す側面図
【図７】本発明の実施形態に係る装着部材を示す斜視図
【図８】同装着部材を示す３面図
【図９】同装着部材をしごき型ポンプに装着した状態（カバーが開状態）を示す斜視図
【図１０】同装着部材をしごき型ポンプに装着した状態（カバーが開状態）を示す平面図
【図１１】同装着部材をしごき型ポンプに装着した状態（カバーが開状態）を示す正面図
【図１２】同装着部材をしごき型ポンプに装着した状態（カバーが開状態）を示す側面図
【図１３】同装着部材をしごき型ポンプに装着した状態（カバーが閉状態）を示す斜視図
【図１４】同装着部材をしごき型ポンプに装着した状態（カバーが閉状態）を示す平面図
【図１５】図１４におけるＸＶ−ＸＶ線断面図
【図１６】同装着部材をしごき型ポンプに装着した状態（カバーが閉状態）を示す正面図
【図１７】同装着部材をしごき型ポンプに装着した状態（カバーが閉状態）を示す側面図
【図１８】本発明の他の実施形態に係るしごき型ポンプが適用される血液浄化装置を示す模式図
【図１９】本発明の更に他の実施形態に係るしごき型ポンプが適用される血液浄化装置を示す３面図
【図２０】同血液浄化装置（カバーが開状態）を示す平面図（図１９におけるＸＸ矢視図）
【図２１】同血液浄化装置（カバーが閉状態）を示す平面図
【発明を実施するための形態】
【００２８】
以下、本発明の実施形態について図面を参照しながら具体的に説明する。
本実施形態に係るしごき型ポンプは、血液を体外循環させるための血液回路の一部を構成する被しごき用可撓性チューブを径方向に圧縮しつつしごくことにより、当該血液回路内で血液を流動させるしごき型血液ポンプに適用されたものである。以下、本しごき型血液ポンプが適用される血液透析装置（血液回路含む）について説明する。
【００２９】
血液透析装置は、図１に示すように、ダイアライザ２が接続された血液回路１、及びダイアライザ２に透析液を供給しつつ除水する透析装置本体５から主に構成されている。血液回路１は、同図に示すように、可撓性チューブから成る動脈側血液回路１ａ及び静脈側血液回路１ｂから主に構成されており、これら動脈側血液回路１ａと静脈側血液回路１ｂの間にダイアライザ２が接続されている。
【００３０】
ダイアライザ２は、微小孔（ポア）が形成された複数の中空糸を筐体部に収容して成るものであり、その筐体部に、血液導入ポート２ａ、血液導出ポート２ｂ、透析液導入ポート２ｃ及び透析液導出ポート２ｄが形成されており、このうち血液導入ポート２ａには動脈側血液回路１ａの基端が、血液導出ポート２ｂには静脈側血液回路１ｂの基端がそれぞれ接続されている。また、透析液導入ポート２ｃ及び透析液導出ポート２ｄは、透析装置本体５から延設された透析液導入ラインＬ１及び透析液排出ラインＬ２とそれぞれ接続されている。
【００３１】
動脈側血液回路１ａには、その先端に動脈側穿刺針ａが接続されているとともに、途中に血液ポンプとしてのしごき型ポンプ３が配設される一方、静脈側血液回路１ｂには、その先端に静脈側穿刺針ｂが接続されているとともに、途中に除泡用のエアトラップチャンバ４が接続されている。そして、動脈側穿刺針ａ及び静脈側穿刺針ｂを患者に穿刺した状態で、しごき型ポンプ３を駆動させると、患者の血液は、動脈側血液回路１ａを通ってダイアライザ２に至り、該ダイアライザ２によって血液浄化が施された後、エアトラップチャンバ４で除泡がなされつつ静脈側血液回路１ｂを通って患者の体内に戻る。即ち、患者の血液を血液回路１にて体外循環させつつダイアライザ２にて浄化するのである。
【００３２】
一方、動脈側血液回路１ａの一部には、図２に示すように、他より軟質且つ太径な被しごき用可撓性チューブＤが接続されており、かかる部位（被しごき用可撓性チューブＤ）が、透析装置本体５に配設されたしごき型ポンプ３に取り付けられるよう構成されている。かかるしごき型ポンプ３は、図３〜６に示すように、ステータ６と、ステータ６内で回転駆動可能なロータ７と、該ロータ７に形成されたローラ８と、上下一対のガイドピン９と、カバー１０と、押圧手段１１とから主に構成されている。
【００３３】
ステータ６は、後述する装着部材１２の本体部１３が脱着可能なもので、被しごき用可撓性チューブＤが取り付けられる取付凹部６ａが形成されたもので、当該取付凹部６ａを形成する内周壁面６ａａに沿って被しごき用可撓性チューブＤが取り付けられるよう構成されている。また、ステータ６には、後述する装着部材１２が取り付けられた際、連結部１４が位置する部位に取付部６ｂが形成されている。さらに、取付凹部６ａの略中央には、図示しないモータにより回転駆動可能なロータ７が配設されている。かかるロータ７の側面（内周壁面６ａａと対向する面）には、一対のローラ８と、ガイドピン９とが配設されている。
【００３４】
ローラ８は、ロータ７の外縁側に形成された回転軸を中心として回転可能とされたもので、取付凹部６ａに取り付けられた被しごき用可撓性チューブＤを径方向に圧縮しつつ当該ロータ７の回転に伴い長手方向（血液の流動方向）にしごくことにより、血液回路１内で血液を流動させ得るものである。すなわち、取付凹部６ａ内に被しごき用可撓性チューブＤを取り付けてロータ７を回転駆動させると、ローラ８と内周壁面６ａａとの間で当該被しごき用可撓性チューブＤが圧縮されるとともに、ロータ７の回転駆動に伴ってその回転方向（長手方向）にしごき得るのである。かかるしごき作用により、血液回路１内の血液がロータ７の回転方向に流動することとなるので、当該血液回路１内で体外循環させることが可能とされている。
【００３５】
ガイドピン９は、ロータ７の上端側及び下端側から内周壁面６ａａに向かってそれぞれ突出形成されたピン状部材から成るものであり、これらの間に被しごき用可撓性チューブＤが保持されることとなる。すなわち、ロータ７の駆動時、上下のガイドピン９により被しごき用可撓性チューブＤを正規の位置（取り付け位置）に保持させるとともに、上側のガイドピン９により当該被しごき用可撓性チューブＤが取付凹部６ａから離脱しないようになっているのである。
【００３６】
カバー１０は、ステータ６に開閉自在に取り付けられ、図１３、１４に示すように、閉じた状態で取付凹部６ａを覆うものであり、ロータ７の回転駆動時において取付凹部６ａ内への異物等の侵入等を防止し得るものである。また、後述する装着部材１２がしごき型ポンプ３に装着されていない状態では、カバー１０が閉じた状態においても取付部６ｂを介して取付凹部６ａを外部（正面側）に臨ませた状態となっている。
【００３７】
ここで、本実施形態においては、上記しごき型ポンプ３に装着部材１２が装着されるよう構成されている。かかる装着部材１２は、図７、８に示すように、ステータ６の所定部位に取り付け可能とされ、被しごき用可撓性チューブＤの上流側固定部Ｄａ及び下流側固定部Ｄｂの一方（本実施形態においては下流側固定部Ｄｂ）と一体的に形成された本体部１３と、該本体部１３に形成され、被しごき用可撓性チューブＤの上流側固定部Ｄａ及び下流側固定部Ｄｂの他方（本実施形態においては上流側固定部Ｄａ）を位置させ得る切欠き部１３ａと、被しごき用可撓性チューブＤの上流側固定部Ｄａ近傍と下流側固定部Ｄｂ近傍とを連結した板状の連結部１４とを具備している。
【００３８】
すなわち、被しごき用可撓性チューブＤは、その両端に血液回路１（動脈側血液回路１ａ）が接続されるとともに、その下流側固定部Ｄｂが装着部材１２に固定されて一体化されており、連結部１４にて円弧状（輪状）に屈曲しつつ本体部１３内に保持されているのである。このように被しごき用可撓性チューブＤが形成された装着部材１２は、使い捨て部品（ディスポーザブル品）から成り、血液浄化治療が終了した後、血液回路１と共に廃棄されるものとされている。
【００３９】
本実施形態に係る本体部１３は、ステータ６の外周面形状に倣って形成された枠状部材（外形が矩形状の筒状部材）から成り、図９〜１２に示すように、ステータ６の外周面（所定部位）に嵌合して取り付け可能とされている。そして、本体部１３がステータ６に嵌合して取り付けられると、取付部６ｂ上に、被しごき用可撓性チューブＤの上流側固定部Ｄａ及び下流側固定部Ｄｂ、並びに連結部１４が位置するようになっている。なお、本体部１３をステータ６に取り付けた際、被しごき用可撓性チューブＤの所定部位がガイドピン９上に位置することから、当該被しごき用可撓性チューブＤの上流側固定部Ｄａは、切欠き部１３ａから上方に浮いた状態（上方に所定寸法離間した状態）とされる。
【００４０】
一方、しごき型ポンプ３が具備するカバー１０には、当該カバー１０が閉じた状態で被しごき用可撓性チューブＤにおける上流側固定部Ｄａ及び下流側固定部Ｄｂの他方（本実施形態においては上流側固定部Ｄａ）を本体部１３の切欠き部１３ａまで押圧させ得る押圧凸部１０ａが形成されている。すなわち、カバー１０の裏面（閉じた状態でステータ６と対向する面）には、突出形状から成る押圧凸部１０ａが一体形成されており、カバー１０を閉じる過程において、当該押圧凸部１０ａが被しごき用可撓性チューブＤにおける上流側固定部Ｄａ及び下流側固定部Ｄｂの他方（上流側固定部Ｄａ）と干渉して同方向に押圧し、図１３〜１７に示すように、被しごき用可撓性チューブＤにおける上流側固定部Ｄａ及び下流側固定部Ｄｂの他方（本実施形態においては上流側固定部Ｄａ）を移動して切欠き部１３ａに位置させるのである。
【００４１】
しかして、本体部１３をステータ６の外周面（所定部位）に嵌合して取り付け、被しごき用可撓性チューブＤにおける上流側固定部Ｄａ及び下流側固定部Ｄｂの他方（上流側固定部Ｄａ）が切欠き部１３ａに位置した状態でロータ７を回転駆動させることにより、被しごき用可撓性チューブＤを取り付け位置（上下のガイドピン９の間の位置）まで移動させ得るよう構成されている。
【００４２】
すなわち、本体部１３をステータ６の外周面（所定部位）に嵌合して取り付け、被しごき用可撓性チューブＤにおける上流側固定部Ｄａ及び下流側固定部Ｄｂの他方（上流側固定部Ｄａ）が切欠き部１３ａに位置した状態においては、被しごき用可撓性チューブＤの上流側固定部Ｄａ及び下流側固定部Ｄｂの取付高さが上下のガイドピン９の間に位置することとなり、その状態でロータ７を回転駆動させると、被しごき用可撓性チューブＤが上側のガイドピン９を乗り越えて取り付け位置に移動し得るのである。
【００４３】
さらに、本実施形態に係るしごき型ポンプ３は、被しごき用可撓性チューブＤを取付凹部６ａから取り外される方向に押圧可能な押圧手段１１を具備している。かかる押圧手段１１は、しごき型ポンプ３のステータ６に取り付けられたもので、当該ステータ６の取付部６ｂにて突出して配設されたプッシュロッド１１ａと、該プッシュロッド１１ａの基端側を収容したハウジング１１ｂと、該ハウジング１１ｂに配設されてプッシュロッド１１ａを突出方向（図５中上方）に向かって付勢するバネ１１ｃと、プッシュロッド１１ａの基端に取り付けられてハウジング１１ｂから抜け止めを図るための止め輪１１ｄとを有して構成されている。
【００４４】
しかして、装着部材１２の本体部１３をしごき型ポンプ３の外周面に嵌合して取り付けると、図１１に示すように、プッシュロッド１１ａの突端に連結部１４が当接するよう設定されており、その状態からカバー１０を閉じた状態とすると、被しごき用可撓性チューブＤの上流側固定部Ｄａ及び下流側固定部Ｄｂの他方側（上流側固定部Ｄａ側）が押圧凸部１０ａにて押圧されるので、プッシュロッド１１ａが連結部１４により押圧され、図１５、１６に示すように、バネ１１ｃの付勢力に抗してハウジング１１ｂ側（図１５、１６中下方）に移動するよう構成されている。
【００４５】
そして、例えば治療が終了してカバー１０を開けると、押圧凸部１０ａからの押圧力が解除されるので、プッシュロッド１１ａがバネ１１ｃの付勢力にて連結部１４を押圧し、被しごき用可撓性チューブＤを取付凹部６ａから取り外される方向（図１５中上方）に移動させる。このように、本実施形態においては、カバー１０を閉じてロータ７を回転駆動させることにより、被しごき用可撓性チューブＤを取付凹部６ａに取り付け可能とされるとともに、カバー１０を開けることにより、被しごき用可撓性チューブＤを取付凹部６ａから取り外し可能とされている。
【００４６】
次に、本実施形態に係るしごき型ポンプ３に被しごき用可撓性チューブＤを取り付ける方法について説明する。
先ず、カバー１０を開いた状態とし、本体部１３をステータ６の外周面に嵌合させて取り付けることにより装着部材１２をしごき型ポンプ３に装着する。これにより、図９〜１２に示すように、円弧状に屈曲した被しごき用可撓性チューブＤは、ステータ６の取付凹部６ａの内周壁面６ａａに沿った位置とされるとともに、上流側固定部Ｄａ及び下流側固定部Ｄｂがステータの取付部６ｂに位置（但し、上流側固定部Ｄａは、取付部６ｂの上面から上方へ浮いた状態とされている）する。なお、上流側固定部Ｄａ近傍と下流側固定部Ｄｂ近傍を連結した連結部１４は、プッシュロッド１１ａの突端と当接している。
【００４７】
そして、カバー１０を閉じることにより、押圧凸部１０ａにて上流側固定部Ｄａを押圧させ、連結部１４が下流側固定部Ｄｂを中心として揺動することとなり、図１３〜１７に示すように、当該上流側固定部Ｄａが切欠き部１３ａに至ることとなる。このとき、上流側固定部Ｄａは、下流側固定部Ｄｂの高さと略等しい位置まで移動し、その位置で保持されるようになっている。なお、プッシュロッド１１ａは、連結部１４にて押圧され、バネ１１ｃの付勢力に抗して下方に移動し、その位置で保持される。
【００４８】
その後、カバー１０を閉じた状態にてロータ７を回転駆動させると、ローラ８の回動動作に伴って被しごき用可撓性チューブＤが上下のガイドピン９の間に移動し、取り付け位置とされる。かかる取り付け状態において、動脈側穿刺針ａ及び静脈側穿刺針ｂを患者に穿刺すれば、血液回路１中を患者の血液が体外循環し、その過程でダイアライザ２による血液浄化が行われることとなる。
【００４９】
かかる血液浄化治療が終了してロータ７の回転駆動が停止した後、カバー１０を開けると、バネ１１ｃの付勢力によりプッシュロッド１１ａが上方に移動して連結部１４を押圧するので、被しごき用可撓性チューブＤを上側のガイドピン９より上方に引き出せば、図９〜１２に示す状態となる。しかして、装着部材１２をしごき型ポンプ３から取り外すことにより、当該装着部材１２（被しごき用可撓性チューブＤが一体形成された本体部１３）を血液回路１と共に廃棄することができる。
【００５０】
上記実施形態によれば、ステータ６の所定部位に取り付け可能とされ、被しごき用可撓性チューブＤの上流側固定部Ｄａ及び下流側固定部Ｄｂの一方と一体的に形成された本体部１３と、該本体部１３に形成され、被しごき用可撓性チューブＤの上流側固定部Ｄａ及び下流側固定部Ｄｂの他方を位置させ得る切欠き部１３ａとを具備したので、被しごき用可撓性チューブＤのステータ６に対する取付作業及び取り外し作業をより容易且つ円滑に行わせることができる。
【００５１】
また、被しごき用可撓性チューブＤの上流側固定部Ｄａ近傍と下流側固定部Ｄｂ近傍とを連結した連結部１４を有したので、被しごき用可撓性チューブＤを円弧状に屈曲させた状態（図７、８参照）とすることができ、装着部材１２の本体部１３をステータ６に取り付けた状態において、被しごき用可撓性チューブＤを取付凹部６ａに沿って配置（図９、１０参照）させることができる。加えて、連結部１４により被しごき用可撓性チューブＤの上流側固定部Ｄａ及び下流側固定部Ｄｂの離間寸法を一定（設定寸法）とすることができるので、カバー１０を閉じた際、上流側固定部Ｄａ及び下流側固定部Ｄｂの他方を確実に切欠き部１３ａに位置させることができる。
【００５２】
さらに、本実施形態に係る本体部１３は、ステータ６の外周面形状に倣って形成された枠状部材から成り、当該ステータ６の外周面に取り付け可能とされたので、しごき型ポンプ３に対する装着部材１２の取り付け作業及び取り外し作業をより容易且つ確実に行わせることができる。またさらに、本実施形態に係る本体部１３及び被しごき用可撓性チューブＤは、使い捨て部品から成るので、治療終了後、本体部１３及び被しごき用可撓性チューブＤを一括して廃棄することができる。
【００５３】
また、本形態に係るしごき型ポンプ３は、装着部材１２の本体部１３が脱着可能なステータ６を具備しているので、被しごき用可撓性チューブＤを固定するための手段（上流側固定部及び下流側固定部をそれぞれ挟持して固定するための挟持手段等）が不要とされるとともに、被しごき用可撓性チューブＤのステータ６に対する取付作業及び取り外し作業をより容易且つ円滑に行わせることができる。
【００５４】
さらに、本実施形態に係るロータ７には、取付凹部６ａの内周壁面６ａａ側に突出したガイドピン９が形成されるとともに、本体部１３をステータ６の所定部位に取り付け、被しごき用可撓性チューブＤにおける上流側固定部Ｄａ及び下流側固定部Ｄｂの他方が切欠き部１３ａに位置した状態で当該ロータ７を回転駆動させることにより、被しごき用可撓性チューブＤを取り付け位置まで移動させ得るので、取付凹部６ａに対する被しごき用可撓性チューブＤの取り付けをより容易に行わせることができる。
【００５５】
また、ステータ６に開閉自在に取り付けられ、閉じた状態で取付凹部６ａを覆うカバー１０と、カバー１０に形成され、当該カバー１０が閉じた状態で被しごき用可撓性チューブＤにおける上流側固定部Ｄａ及び下流側固定部Ｄｂの他方を切欠き部１３ａまで押圧させ得る押圧凸部１０ａとを備えたので、カバー１０を閉じることにより、被しごき用可撓性チューブＤの上流側固定部Ｄａ及び下流側固定部Ｄｂの他方を確実且つ円滑に切欠き部１３ａに位置させることができる。
【００５６】
またさらに、被しごき用可撓性チューブＤを取付凹部６ａから取り外される方向に押圧可能な押圧手段１１を具備したので、被しごき用可撓性チューブＤのステータ６に対する取り外し作業をより容易且つ円滑に行わせることができる。なお、本実施形態に係る押圧手段１１は、プッシュロッド１１ａをバネ１１ｃの付勢力で移動させて被しごき用可撓性チューブＤを押圧しているが、例えばシリンダ又はモータ等の別個のアクチュエータによりプッシュロッド１１ａを移動して被しごき用可撓性チューブＤを押圧するようにしてもよい。
【００５７】
一方、上記実施形態に係る装着部材１２は、本体部１３に単一の被しごき用可撓性チューブＤが一体的に形成されているが、これに代えて、本体部１３に複数の被しごき用可撓性チューブＤが一体的に形成され、複数のしごき型ポンプ（血液ポンプに限らない）のそれぞれに脱着可能とされたものであってもよい。この場合、複数のしごき型ポンプに対して一括して被しごき用可撓性チューブを取り付け又は取り外しすることができ、取り付け時及び取り外し時の作業性を向上させることができる。
【００５８】
例えば、図１８に示すように、ダイアライザ２に供給するための透析液を収容した収容バッグ１８と、ダイアライザ２から排出された排液を収容する収容バッグ１９とを具備し、血液ポンプとしてのしごき型ポンプ３の他、収容バッグ１８の透析液をダイアライザ２に送液するためのしごき型ポンプ１６、及びダイアライザ２からの排液を収容バッグ１９に送液するためのしごき型ポンプ１７が透析装置本体１５に形成された血液浄化装置に適用した場合、血液ポンプとしてのしごき型ポンプ３、及びしごき型ポンプ１６、１７に装着される本体部を具備し、その本体部にしごき型ポンプ（３、１６、１７）のそれぞれに対応する被しごき用可撓性チューブＤが一体的に形成させたものであってもよい。
【００５９】
さらに、図１９〜２１に示すように、複数のしごき型ポンプ（Ｐ１〜Ｐ５）を具備した透析装置Ｈに適用した場合、これら複数のしごき型ポンプ（Ｐ１〜Ｐ５）を囲むことができる本体部２０と、各しごき型ポンプ（Ｐ１〜Ｐ５）に対応した被しごき用可撓性チューブ（Ｄ１〜Ｄ５）とを具備し、本体部２０に被しごき用可撓性チューブ（Ｄ１〜Ｄ５）が一体的に形成されるとともに、それぞれの被しごき用可撓性チューブ（Ｄ１〜Ｄ５）が位置可能な切欠き部を有した装着部材としてもよい。
【００６０】
また、透析装置Ｈにおいて、しごき型ポンプ（Ｐ１〜Ｐ５）の上方を覆うカバー２１を具備し、当該カバー２１に上記実施形態の押圧凸部１０ａに相当するものを形成するのが好ましい。これにより、本体部２０を装着した後、カバー２１を閉じることにより、被しごき用可撓性チューブ（Ｄ１〜Ｄ５）を一括してしごき型ポンプ（Ｐ１〜Ｐ５）に取り付けることができる。
【００６１】
以上、本実施形態について説明したが、本発明はこれに限定されず、例えば被しごき用可撓性チューブの上流側固定部と一体的に形成された本体部と、該本体部に形成され、被しごき用可撓性チューブの下流側固定部を位置させ得る切欠き部とを具備した装着部材としてもよい。また、装着部材１２に代えて、連結部１４により連結されないもの、或いは枠状部材以外の形状の本体部を有するものであってもよい。さらに、しごき型ポンプは、血液ポンプや補液ポンプの他、他の種々のものであってもよい。
【産業上の利用可能性】
【００６２】
ステータの所定部位に取り付け可能とされ、被しごき用可撓性チューブの上流側固定部及び下流側固定部の一方と一体的に形成された本体部と、該本体部に形成され、被しごき用可撓性チューブの上流側固定部及び下流側固定部の他方を位置させ得る切欠き部とを具備し、前記本体部を前記しごき型ポンプのステータに取り付け、前記被しごき用可撓性チューブの上流側固定部及び下流側固定部の他方が前記切欠き部に位置した状態で、当該被しごき用可撓性チューブを前記ステータの取り付け位置まで移動可能とされた装着部材、及びその本体部が脱着可能なステータを具備したしごき型ポンプであれば、他の機能が付加されたもの等であってもよい。
【符号の説明】
【００６３】
１    血液回路
１ａ  動脈側血液回路
１ｂ  静脈側血液回路
２    ダイアライザ
３    しごき型ポンプ
４    エアトラップチャンバ
５    透析装置本体
６    ステータ
７    ロータ
８    ローラ
９    ガイドピン
１０  カバー
１０ａ  押圧凸部
１１  押圧手段
１２  装着部材
１３  本体部
１３ａ  切欠き部
１４  連結部
１５  透析装置本体
１６、１７  しごき型ポンプ
１８、１９  収容バッグ
２０  本体部
２１  カバー
【図１】
0005863871.tif 000002
【図２】
0005863871.tif 000003
【図３】
0005863871.tif 000004
【図４】
0005863871.tif 000005
【図５】
0005863871.tif 000006
【図６】
0005863871.tif 000007
【図７】
0005863871.tif 000008
【図８】
0005863871.tif 000009
【図９】
0005863871.tif 000010
【図１０】
0005863871.tif 000011
【図１１】
0005863871.tif 000012
【図１２】
0005863871.tif 000013
【図１３】
0005863871.tif 000014
【図１４】
0005863871.tif 000015
【図１５】
0005863871.tif 000016
【図１６】
0005863871.tif 000017
【図１７】
0005863871.tif 000018
【図１８】
0005863871.tif 000019
【図１９】
0005863871.tif 000020
【図２０】
0005863871.tif 000021
【図２１】
0005863871.tif 000022